【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、正の屈折力の第３レンズ群より構成され、ズーミングに際して少なくとも前記第１レンズ群と前記第２レンズ群が移動するズームレンズにおいて、広角端における全系の焦点距離をｆｗ、望遠端における全系の焦点距離をｆＴ、前記第１レンズ群の焦点距離をｆ１、前記第２レンズ群の焦点距離をｆ２、前記第３レンズ群の焦点距離をｆ３、前記第２レンズ群の広角端における横倍率をβ２ｗ、前記第２レンズ群の望遠端における横倍率をβ２Ｔとするとき、
０．００＜｜ｆ１／ｆ３｜＜０．４５
１．０＜｜β２ｗ｜／（１／√（β２Ｔ／β２ｗ））＜１．５
０．００＜ｆ２／√（ｆｗ・ｆＴ）≦１．０５
の条件を満足することを特徴とするズームレンズ。
【請求項２】
３．５＜β２Ｔ／β２ｗ＜７．０
の条件式を満足することを特徴とする請求項１のズームレンズ。
【請求項３】
前記第１レンズ群は少なくとも１枚の正レンズを有し、該正レンズの材料の屈折率をｎｄとするとき、
ｎｄ＞１．９３
の条件式を満足することを特徴とする請求項１又は２のズームレンズ。
【請求項４】
前記第２レンズ群は空気レンズを含み、該空気レンズの物体側の面の曲率半径をＲ１ａｉｒ、像側の面の曲率半径をＲ２ａｉｒとするとき、
−１０＜（Ｒ１ａｉｒ＋Ｒ２ａｉｒ）／（Ｒ１ａｉｒ−Ｒ２ａｉｒ）＜−１
の条件式を満足することを特徴とする請求項１、２又は３のズームレンズ。
【請求項５】
前記第１レンズ群は２枚のレンズより構成され、前記第１レンズ群の物体側に配置されたレンズの像側の面の曲率半径をＧ１Ｒ２、前記第１レンズ群の像側に配置されたレンズの物体側の面の曲率半径をＧ２Ｒ１とするとき、
−１０．０＜（Ｇ１Ｒ２＋Ｇ２Ｒ１）／（Ｇ１Ｒ２−Ｇ２Ｒ１）＜−３．３
の条件式を満足することを特徴とする請求項１乃至４のいずれか１項のズームレンズ。
【請求項６】
５．１＜ｆ３／ｆｗ＜１１．０
の条件式を満足することを特徴とする請求項１乃至５のいずれか１項のズームレンズ。
【請求項７】
前記第１レンズ群は２枚のレンズより構成され、前記第１レンズ群の像側に配置されたレンズの焦点距離をｆ＿Ｇ２とするとき、
１．５＜ｆ＿Ｇ２／ｆ１＜２．５
の条件式を満足することを特徴とする請求項１乃至６のいずれか１項のズームレンズ。
【請求項８】
前記第２レンズ群の最も物体側に配置されたレンズの材料の屈折率をＮ２とするとき、
Ｎ２＞１．７５
の条件式を満足することを特徴とする請求項１乃至７のいずれか１項のズームレンズ。
【請求項９】
広角端から望遠端へのズーミングに際して、前記第１レンズ群は像側に凸の軌跡の一部を描いて移動し、前記第２レンズ群は物体側に単調に移動し、前記第３レンズ群は像側に移動することを特徴とする請求項１乃至８のいずれか１項のズームレンズ。
【請求項１０】
前記第１レンズ群は、物体側と像側の面が非球面形状の負レンズを有することを特徴とする請求項１乃至９のいずれか１項のズームレンズ。
【請求項１１】
前記第３レンズ群は物体側に移動して無限遠物体から近距離物体へのフォーカシングを行うレンズ群であることを特徴とする請求項１乃至１０のいずれか１項のズームレンズ。
【請求項１２】
前記第１レンズ群は、物体側から像側へ順に、物体側の面が凸でメニスカス形状の負レンズ、物体側の面が凸でメニスカス形状の正レンズより構成されていることを特徴とする請求項１乃至１１のいずれか１項のズームレンズ。
【請求項１３】
前記第２レンズ群は、物体側より像側へ順に、物体側の面が凸形状の正レンズと像側の面が凹形状の負レンズを接合した接合レンズ、物体側の面が凸形状の負レンズと物体側の面が凸形状の正レンズを接合した接合レンズより構成されていることを特徴とする請求項１乃至１２のいずれか１項のズームレンズ。
【請求項１４】
前記第２レンズ群は、物体側より像側へ順に、物体側の面が凸形状の正レンズと像側の面が凹形状の負レンズを接合した接合レンズ、正レンズより構成されていることを特徴とする請求項１乃至１２のいずれか１項のズームレンズ。
【請求項１５】
前記第３レンズ群は単一の正レンズより構成されていることを特徴とする請求項１乃至１４のいずれか１項のズームレンズ。
【請求項１６】
請求項１乃至１５のいずれか１項のズームレンズと、該ズームレンズによって形成された像を受光する固体撮像素子を有することを特徴とする撮像装置。
【手続補正２】
【補正対象書類名】明細書
【補正対象項目名】００２０
【補正方法】変更
【補正の内容】
【００２０】
本発明のズームレンズは、物体側より像側へ順に、負の屈折力の第１レンズ群、正の屈折力の第２レンズ群、正の屈折力の第３レンズ群より構成され、ズーミングに際して少なくとも前記第１レンズ群と前記第２レンズ群が移動するズームレンズにおいて、広角端における全系の焦点距離をｆｗ、望遠端における全系の焦点距離をｆＴ、前記第１レンズ群の焦点距離をｆ１、前記第２レンズ群の焦点距離をｆ２、前記第３レンズ群の焦点距離をｆ３、前記第２レンズ群の広角端における横倍率をβ２ｗ、前記第２レンズ群の望遠端における横倍率をβ２Ｔとするとき、
０．００＜｜ｆ１／ｆ３｜＜０．４５
１．０＜｜β２ｗ｜／（１／√（β２Ｔ／β２ｗ））＜１．５
０．００＜ｆ２／√（ｆｗ・ｆＴ）≦１．０５
の条件を満足することを特徴としている。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２４
【補正方法】変更
【補正の内容】
【００２４】
本発明のズームレンズは、物体側より像側へ順に、負の屈折力の第１レンズ群、正の屈折力の第２レンズ群、正の屈折力の第３レンズ群より構成されている。
【手続補正６】
【補正対象書類名】明細書
【補正対象項目名】００５７
【補正方法】変更
【補正の内容】
【００５７】
β２ｗ＝１／√Ｚ
β２Ｔ＝√Ｚ
【手続補正７】
【補正対象書類名】明細書
【補正対象項目名】００６４
【補正方法】変更
【補正の内容】
【００６４】
１／√Ｚ
【手続補正８】
【補正対象書類名】明細書
【補正対象項目名】００６７
【補正方法】変更
【補正の内容】
【００６７】
β２ｗ＝β２ｗ／（１／√Ｚ）＞１
【手続補正９】
【補正対象書類名】明細書
【補正対象項目名】００７６
【補正方法】変更
【補正の内容】
【００７６】
１．０＜｜β２ｗ｜／（１／√（β２Ｔ／β２ｗ））＜１．５・・・（２）
０．００＜ｆ２／√（ｆｗ・ｆＴ）≦１．０５・・・（３）
【手続補正１０】
【補正対象書類名】明細書
【補正対象項目名】００９２
【補正方法】変更
【補正の内容】
【００９２】
１．０５＜｜β２ｗ｜／（１／√（β２Ｔ／β２ｗ））＜１．２５・・・（２ａ）
０．８０＜ｆ２／√（ｆｗ・ｆＴ）≦１．０５                ・・・（３ａ）
【手続補正１１】
【補正対象書類名】明細書
【補正対象項目名】０１４１
【補正方法】変更
【補正の内容】
【０１４１】
そして、負レンズＧ２２と負レンズＧ２３との間又は負レンズＧ２２と正レンズＧ２３との間で負の屈折力の空気レンズＬ２ａｉｒを形成している。